(57)【要約】【課題】  ホールに対し改札機部を回転自在に設けることにより、改札機部を入場機、及び出場機として使用可能な向きに変更することができるようにした無線改札機を提供することにある。【解決手段】  固定的に設けられたポールと、このポールに回転自在に設けられ、無線媒体から無線送信される情報をアンテンナ１１で受信し、この受信情報に基づいて改札する改札機部７とを具備し、改札機構部７は第１の位置及びこの第１の位置と異なる第２の位置に回転されることによりその向きを改札機１ａ、或いは集札機１ｂとして使用可能な向きに可変する。【選択図】      図２
2005346466.tif 000002
【特許請求の範囲】
【請求項１】
固定的に設けられた支持部材と、
この支持部材に回転自在に設けられ、無線媒体から無線送信される情報をアンテナで受信し、この受信情報に基づいて改札或いは集札する改札手段とを具備し、
前記改札手段は第１の位置及びこの第１の位置と異なる第２の位置に回転されることによりその向きを改札機、或いは集札機として使用可能な向きに可変することを特徴とする無線改札装置。
【請求項２】
前記改札手段は遠隔操作により、或いは直接操作により回転されることを特徴とする請求項１記載の無線改札装置。
【請求項３】
前記改札手段は改札機、或いは集札機として使用されることを可変表示する表示部を有することを特徴とする請求項１記載の無線改札装置。
【請求項４】
前記改札手段を改札機、或いは集札機として機能させる制御手段を備えることを特徴とする請求項１記載の無線改札装置。
【請求項５】
固定的に設けられた複数の支持部材と、
これら複数の支持部材に回転自在に設けられ、無線媒体から無線送信される情報をアンテンナで受信し、この受信情報に基づいて改札或いは集札する複数の改札手段とを具備し、
前記改札手段は第１の位置及びこの第１の位置と異なる第２の位置に回転されることによりその向きを改札機、或いは集札機として使用可能な向きに可変することを特徴とする無線改札装置。
【発明の詳細な説明】
【技術分野】
【０００１】
本発明は、例えば、鉄道等の交通機関で使用される簡易型の無線改札装置に関する。
【背景技術】
【０００２】
鉄道等の交通機関で使用されている自動改札機は、投入された乗車券に記録されている磁気情報を読み取り、通行の可否を判定するとともに必要に応じて投入された乗車券に磁気情報の記録、パンチ印刷を施している。この自動改札機は、通常、複数台設置され、入場機（改札機）として、或いは、出場機（集札機）として使用できるように機能が切替え可能になっている（例えば、特許文献１参照。）。
【０００３】
また、この自動改札機には、無線交信により乗車券の情報を読み取り、非接触で通行の可否を判定できるようにしたものもある。
【０００４】
このような、非接触型の自動改札機には、簡易型と呼ばれる非接触型専用の装置がある。この非接触型専用の自動改札機は、通行を阻止する扉等はなく、通行の可否等は表示パネル等により監視されている。
【０００５】
ところで、簡易型の自動改札機は、通常、支持部材としてのポールを備え、このポールに改札機部を取付けている。改札機部には無線交信により乗車券の情報を読み取る交信用のアンテナと、読取情報に基づく判定結果を表示する表示パネルと、上位機と無線接続される接続部等が備えられている。
【特許文献１】特開２００４−１１０２６０号公報
【発明の開示】
【発明が解決しようとする課題】
【０００６】
しかしながら、従来においては、改札口の床面に固定されるポールに改札機部を固定的に取付けていたため、改札機部の向きが固定化され、入場機、或いは出場機の何れかの機能でしか用いることができなかった。このため、駅における改札通過状況の変化に対応することができず、改札効率が悪いという問題があった。
【０００７】
本発明は上記事情に着目してなされたもので、その目的とするところは、改札手段を回転させてその向きを改札機、或いは集札機として使用可能な向きに可変することにより、改札機及び集札機としての使用を可能とする無線改札装置を提供することにある。
【課題を解決するための手段】
【０００８】
上記課題を解決するため、請求項１記載のものは、固定的に設けられた支持部材と、この支持部材に回転自在に設けられ、無線媒体から無線送信される情報をアンテナで受信し、この受信情報に基づいて改札或いは集札する改札手段とを具備し、前記改札手段は第１の位置及びこの第１の位置と異なる第２の位置に回転されることによりその向きを改札機、或いは集札機として使用可能な向きに可変することを特徴とする。
【０００９】
請求項５記載のものは、固定的に設けられた複数の支持部材と、これら複数の支持部材に回転自在に設けられ、無線媒体から無線送信される情報をアンテンナで受信し、この受信情報に基づいて改札或いは集札する複数の改札手段とを具備し、前記改札手段は第１の位置及びこの第１の位置と異なる第２の位置に回転されることによりその向きを改札機、或いは集札機として使用可能な向きに可変することを特徴とする。
【発明の効果】
【００１０】
本発明によれば、駅改札口における通行状況の変化に対応して改札手段を入場機、或いは出場機として使用することができるため、改札集札効率を向上できる。
【発明を実施するための最良の形態】
【００１１】
以下、本発明を図面に示す実施の形態を参照して詳細に説明する。  
図１は本発明の一実施の形態である簡易型の無線改札機１が駅の改札口２に配置された状態を示す外観斜視図である。
【００１２】
無線改札機１は改札口２に固定的に設置される支持手段としてのポール４を備え、このポール４の上端部には、改札手段としての改札機部７が回転自在に取付けられている。改札機部７は交信部８と表示部９を有して構成されている。
【００１３】
交信部８はその上面部の一側部側に交信用のアンテナ１１を有し、他側部側に表示ランプ１２、スピーカの音声発生部１３、ＬＥＤランプ１４などを配設している。
【００１４】
交信用のアンテナ１１は利用客によってかざされる乗車券から無線通信によって改札情報を読取るものである。表示ランプ１２は、利用客に対し操作の指示、例えば「もう一度乗車券をかざして下さい」等の表示を行うものである。ＬＥＤランプ１４は入退場が許可された場合に、点灯表示するものである。
【００１５】
表示部９の前面部には、第１及び第２の表示パネル１６，１７が設けられている。第１の表示パネル１６は入退場が許可できない場合にその旨を表示し、許可できた場合には「有り難う御座いました」等を表示するものである。第２の表示パネル１７は無線改札機が後述するように入場機（改札機）、或いは出場機（集札機）として使用されることを可変表示するものである。
【００１６】
また、ポール４の上部側には駆動モータ２２及び位置検出スイッチ２３が配設されている。駆動モータ２２は改札機部７をポール４を中心として矢印方向に１８０°回転させることにより、無線改札機１を入場機としての使用可能な向き、或いは、出場機として使用可能な向きに可変制御するようになっている。この制御は遠隔操作、或いは単体での操作が可能である。位置検出スイッチ２３はアンテナ１１の位置を検出するものである。
【００１７】
また、ポール４の下部側にはアンテナ１１で受け付けた情報を判定制御する制御部２４が設けられている。図中２５は無線改札機１を遠隔操作する監視装置である。なお、通行可否の判定結果は、駅員室に配置される監視パネルや表示器等に表示される。
【００１８】
上記した無線改札機１は例えば、図２に示すように、利用客の通行方向に対して略直交する方向に所定間隔を存して複数配設され、一方の無線改札機１は入場機１ａ、他方の無線改札機１は出場機１ｂとして利用されるようになっている。
【００１９】
利用客が入場する場合には、矢印ａで示すように歩いて入場機１ａに近づき、そのアンテナ１１に無線媒体としての乗車券をかざす。これにより、無線通信によって改札情報が読取られ、この読取情報に基づいて改札口２から駅構内への入場が表示、音声などにより許可され、或いは規制される。
【００２０】
利用客が出場する場合には、矢印ｂで示すように歩いて出場機１ｂに近づき、そのアンテナ１１に無線媒体としての乗車券をかざす。これにより、無線通信によって改札情報が読取られ、この読取情報に基づいて改札口２から駅構外への出場が表示、音声などにより許可され、或いは規制される。
【００２１】
ところで、朝夕のラッシュ時、或いは駅近くでイベント等がある場合には、入場者或いは出場者のいずれか一方が多くなる。
【００２２】
次に、入場者、出場者の流れが変化した場合の対応について図３〜図６、さらに図７のフローチャートを参照して説明する。
【００２３】
まず、通路構成が入場機１ａ或いは出場機１ｂであるのかが判別され（ステップＳ１）。入場機１ａとして使用すると判別された場合には、図３に示すように、出場機１ｂが矢印で示すように回転させてその向きを図４に示すように入場機１ａの向きに変更し、また、表示部１７には入場機として使用されることを表示し、さらに、入場機としての判定制御を行う（ステップＳ２）。こののち、隣接する通路が同じか否かが判別される（ステップＳ３）。同じ通路であると判別された場合には、平行処理による複数台の同時判定制御が行われる（ステップＳ４）。
【００２４】
また、上記したステップＳ１において、出場機であると判別された場合には、図５に示すように、入場機１ａが矢印方向に回転されてその向きを図６に示すように出場機１ｂの向きに変更し、また、表示部１７には出場機として使用されることが表示し、さらに、出場機としての判定制御が行われる（ステップＳ５）。こののち、隣接する通路が同じか否かが判別される（ステップＳ６）。同じ通路であると判別された場合には、平行処理による複数台の同時判定制御が行われる（ステップＳ４）。
【００２５】
また、ステップＳ３、Ｓ６において、異なる通路であると判別された場合には、利用客の通過を考慮した判定制御が行われる（ステップＳ７）。
【００２６】
上記したように、この実施の形態によれば、ポール４に対して改札機部７を回転自在に設け、この改札機部７を回転させることにより、入場機として使用可能な向き、或いは出場機としての使用可能な向きに可変するため、利用客数に応じて通路構成を変更することが可能となり、利用客のスムーズな通行を可能とする。
【００２７】
なお、本発明は、上記一実施の形態に限られることなく、その要旨の範囲内で種々変形実施可能なことは勿論である。
【図面の簡単な説明】
【００２８】
【図１】本発明の一実施の形態である簡易型の無線改札機を示す外観斜視図。
【図２】同無線改札機の配置構成を示す平面図。
【図３】同無線改札機を出場機から入場機に変更する状態を示す図。
【図４】同出場機が入場機に変更された状態を示す図。
【図５】同無線改札機を入場機から出場機に変更する状態を示す図。
【図６】同入場機が出場機に変更された状態を示す図。
【図７】同無線改札機の通路構成の変更に基づく制御を示すフローチャート図。
【符号の説明】
【００２９】
１…無線改札機、１ａ…入場機（改札機），１ｂ…出場機（集札機），４…ポール（支持部材）、７…改札機部（改札手段）、１１…アンテンナ、１７…表示部、２４…制御部（制御手段）。
【図１】
2005346466.tif 000003
【図２】
2005346466.tif 000004
【図３】
2005346466.tif 000005
【図４】
2005346466.tif 000006
【図５】
2005346466.tif 000007
【図６】
2005346466.tif 000008
【図７】
2005346466.tif 000009